(57)【要約】  移動機が、かなり早いレートで受信可能な関連メッセージを利用することによって、既に読み取り不能になっている保存済みメッセージを検証することで時間を節約可能である。一部の態様によると、該移動機は、新たな関連メッセージを読み取り、該保存済みメッセージまたはそのＣＲＣを引き続き再読み取りするかデスクランブルすることによって該保存済みメッセージを検証することで時間を節約可能である。該メッセージを読み取る最初の試みは、スクランブリング情報の変化または他の理由でうまくいかない可能性がある。該メッセージを読み取る該最初の試みの失敗の理由は、同一または異なるスクランブリング情報によって該メッセージを読み取る後の試みがうまくいったか否かに基づいて判断可能である。
2011525061.tif 000002
【特許請求の範囲】
【請求項１】
保存済みまたは新着メッセージを検証する方法であって、
メッセージが最初の試みの後にうまく読み取られなかったことを判断することと、
前記メッセージを読み取り不能として保有することと、
スクランブリング情報を取得することと、
前記取得されたスクランブリング情報によって前記メッセージの再読み取りを試みることと、
前記メッセージは、スクランブリング情報の変化または前記スクランブリング情報の変化とは異なる理由のいずれによって、前記最初の試みの後にうまく読み取られなかったのかを確認することと、
を備える方法。
【請求項２】
前記メッセージを再読み取りする前記試みが異なるスクランブリング情報によってうまくいけば、前記メッセージは、不明のスクランブリング変化ゆえに、前記最初の試みの後にうまく読み取られなかったことが確認される、請求項１に記載の方法。
【請求項３】
前記メッセージを再読み取りする前記試みがオリジナルのスクランブリング情報によってうまくいけば、前記メッセージは、前記スクランブリング情報の変化とは異なる理由で、前記最初の試みの後にうまく読み取られなかったことが確認される、請求項１に記載の方法。
【請求項４】
前記再読み取りの試みがうまくいけば、前記読み取り不能メッセージが検証される、請求項１に記載の方法。
【請求項５】
前記スクランブリング情報が第１のソースから取得され、前記保有されている読み取り不能メッセージが異なるソースから取得される、請求項１に記載の方法。
【請求項６】
前記メッセージが最初の試みの後にうまく読み取られなかったことを判断することと、前記メッセージを読み取り不能として保有することと、スクランブリング情報を取得することと、前記取得されたスクランブリング情報によって前記メッセージの再読み取りを試みることと、前記メッセージが、スクランブリング情報の変化または前記スクランブリング情報の変化とは無関係の理由のいずれによって、前記最初の試みの後にうまく読み取られなかったのかを確認することとに関連する命令を保有するメモリと、
前記メモリに保有された前記命令を実行するように構成された、前記メモリに結合されたプロセッサと、を備える無線通信装置。
【請求項７】
前記メッセージを再読み取りする前記試みが異なるスクランブリング情報によってうまくいけば、前記メッセージは、不明のスクランブリング変化ゆえに、前記最初の試みの後にうまく読み取られなかったとする、請求項６に記載の無線通信装置。
【請求項８】
前記メッセージを再読み取りする前記試みがオリジナルのスクランブリング情報によってうまくいけば、前記メッセージは、前記スクランブリング情報の変化とは無関係の理由で、前記最初の試みの後にうまく読み取られなかったとする、請求項６に記載の無線通信装置。
【請求項９】
前記再読み取りの試みがうまくいけば、前記読み取り不能メッセージが検証される、請求項６に記載の無線通信装置。
【請求項１０】
前記スクランブリング情報が第１のソースから取得され、前記保有されている読み取り不能メッセージが異なるソースから取得される、請求項６に記載の無線通信装置。
【請求項１１】
メッセージの検証を容易にする無線通信装置であって、
メッセージが最初の試みの後にうまく読み取られなかったことを判断する手段と、
前記メッセージを読み取り不能として保有する手段と、
スクランブリング情報を取得する手段と、
前記取得されたスクランブリング情報によって前記メッセージの再読み取りを試みる手段と、
前記メッセージが、スクランブリング情報の変化または前記スクランブリング情報の変化とは異なる理由のいずれによって、前記最初の試みの後にうまく読み取られなかったのかを確認する手段と、を備える無線通信装置。
【請求項１２】
前記メッセージを再読み取りする前記試みが異なるスクランブリング情報によってうまくいけば、前記メッセージは、不明のスクランブリング変化ゆえに、前記最初の試みの後にうまく読み取られなかったとする、請求項１１に記載の無線通信装置。
【請求項１３】
前記メッセージを再読み取りする前記試みがオリジナルのスクランブリング情報によってうまくいけば、前記メッセージは、前記スクランブリング情報の変化とは異なる理由で、前記最初の試みの後にうまく読み取られなかったとする、請求項１１に記載の無線通信装置。
【請求項１４】
前記再読み取りの試みがうまくいけば、前記読み取り不能メッセージが検証される、請求項１１に記載の無線通信装置。
【請求項１５】
前記スクランブリング情報が第１のソースから取得され、前記保有されている読み取り不能メッセージが異なるソースから取得される、請求項１１に記載の無線通信装置。
【請求項１６】
メッセージを検証する機械実行可能な命令を記憶している機械読み取り可能媒体であって、
メッセージが最初の試みの後にうまく読み取られなかったことを判断することと、
前記メッセージを読み取り不能として保有することと、
スクランブリング情報を取得することと、
前記取得されたスクランブリング情報によって前記メッセージの再読み取りを試みることと、
前記メッセージが、スクランブリング情報の変化または前記スクランブリング情報の変化とは異なる理由のいずれによって、前記最初の試みの後にうまく読み取られなかったのかを確認することと、を備える機械読み取り可能媒体。
【請求項１７】
前記命令がさらに、前記メッセージを再読み取りする前記試みが異なるスクランブリング情報によってうまくいけば、前記メッセージは、不明のスクランブリング変化ゆえに、前記最初の試みの後にうまく読み取られなかったと判断することを備える、請求項１６に記載の機械読み取り可能媒体。
【請求項１８】
前記命令がさらに、前記メッセージを再読み取りする前記試みがオリジナルのスクランブリング情報によってうまくいけば、前記メッセージは、前記スクランブリング情報の変化とは異なる理由で、前記最初の試みの後にうまく読み取られなかったと判断することを備える、請求項１６に記載の機械読み取り可能媒体。
【請求項１９】
前記再読み取りの試みがうまくいけば、前記読み取り不能メッセージが検証される、請求項１６に記載の機械読み取り可能媒体。
【請求項２０】
前記スクランブリング情報が第１のソースから取得され、前記保有されている読み取り不能メッセージが異なるソースから取得される、請求項１６に記載の機械読み取り可能媒体。
【請求項２１】
メッセージを検証する少なくとも１つのプロセッサであって、
メッセージが最初の試みの後にうまく読み取られなかったことを判断するように動作可能な第１のモジュールと、
前記メッセージを読み取り不能として保有するように動作可能な第２のモジュールと、
スクランブリング情報を取得するように動作可能な第３のモジュールと、
前記取得されたスクランブリング情報によって前記メッセージの再読み取りを試みるように動作可能な第４のモジュールと、
前記メッセージが、スクランブリング情報の変化または前記スクランブリング情報の変化とは無関係の理由のいずれによって、前記最初の試みの後にうまく読み取られなかったのかを判断するように動作可能な第５のモジュールと、
を備える少なくとも１つのプロセッサ。
【請求項２２】
前記メッセージを再読み取りする前記試みが異なるスクランブリング情報によってうまくいけば、前記メッセージは、不明のスクランブリング変化ゆえに、前記最初の試みの後にうまく読み取られなかったことが確認される、請求項２１に記載の少なくとも１つのプロセッサ。
【請求項２３】
前記メッセージを再読み取りする前記試みがオリジナルのスクランブリング情報によってうまくいけば、前記メッセージは、前記スクランブリング情報の変化とは無関係の理由で、前記最初の試みの後にうまく読み取られなかったことが確認される、請求項２１に記載の少なくとも１つのプロセッサ。
【発明の詳細な説明】
【技術分野】
【０００１】
以下の説明は概して通信システムに、より具体的にはメッセージの検証に関する。
【背景技術】
【０００２】
無線通信システムは、世界中の人々の多くが通信する広く普及した手段になった。これらのシステムは、使用可能なシステムリソース（例えば、帯域幅および送信電力）を共有することによって複数のユーザとの通信をサポート可能な多重アクセスシステムのこともある。このような多重アクセスシステムの例は符号分割多重アクセス（ＣＤＭＡ）システム、時間分割多重アクセス（ＴＤＭＡ）システム、周波数分割多重アクセス（ＦＤＭＡ）システム、直交周波数分割多重アクセス（ＯＦＤＭＡ）システムおよび他のシステムを含む。
【０００３】
（例えば、周波数、時間および符号分割技術を用いる）一般的な無線通信ネットワークは、カバレージエリアを提供する１つ以上の基地局と、このカバレージエリア内でデータを送受信可能な１つ以上のモバイル（例えば、無線）端末とを含む。一般的な基地局は、ブロードキャスト、マルチキャストおよび／またはユニキャストサービスの複数のデータストリームを同時に送信可能であり、この場合、データストリームは、モバイル端末への個別の受信対象であってもよいデータのストリームである。この基地局のカバレージエリア内のモバイル端末は、複合ストリームによって搬送される１つ、２つ以上、またはすべてのデータストリームを受信する場合もある。同様に、モバイル端末は、基地局または別のモバイル端末にデータを送信可能である。
【０００４】
従来のシステムでは、移動機が無線通信ネットワーク（例えば、基地局）をリッスンする場合、メッセージの一部はダウンロードするのに比較的長い時間を要することがある。この時間、バッテリ電力は消費され、通信の切断およびシステムの損失などの性能の問題が引き起こされる恐れがある。
【発明の概要】
【０００５】
以下、１つ以上の態様の簡略化された概要を、このような態様の基本的理解を提供するために呈示する。この概要はすべての想定されている態様の広範囲にわたる概説ではなく、また、すべての態様の中心的または重要な要素を識別したり、態様のいずれかまたは全部の範囲を画定したりすることを意図するものではない。この唯一の目的は、後述のより詳細な説明の前置きとして簡略化された形態で１つ以上の態様に関するいくつかの概念を呈示することである。
【０００６】
１つ以上の態様およびこの対応する開示によると、種々の態様が、関連する新着および／または保存済みメッセージを利用して保存済みまたは新着メッセージを検証することと関連して説明される。該メッセージは、署名、ハッシュまたは他のリンク技術を介してリンクされる。該メッセージを読み取る試みが不成功の場合、該メッセージ（または該メッセージの一部）は保存される。該保存されたメッセージは後に、より高速なレートで受信可能な後続のメッセージを読み取ることによって検証可能である。該読み取り不能なメッセージの保存は、大きなメッセージを再ダウンロードする際にかかる時間を短縮可能であり、このことは、通信受信などのスタンバイ時間および性能メトリクスを高めることができる。
【０００７】
一態様は、保存済みまたは新着メッセージを検証する方法に関する。該方法は、メッセージが最初の試みの後にうまく読み取られなかったと判断することと、該メッセージを読み取り不能として保有することとを含む。スクランブリング情報が取得され、該取得されたスクランブリング情報によって該メッセージを再読み取りする試みが実行される。該方法はさらに、該メッセージが、スクランブリング情報の変化またはスクランブリング情報の変化とは異なる理由のいずれによって、該最初の試みの後にうまく読み取られなかったのかを確認する。
【０００８】
もう１つの態様は、メモリおよびプロセッサを含む無線通信装置に関する。該メモリは、メッセージが最初の試みの後にうまく読み取られなかったと判断することと、該メッセージを読み取り不能として保有することと、スクランブリング情報を取得することとに関する命令を保有している。該メモリはまた、該取得されたスクランブリング情報によって該メッセージの再読み取りを試みることと、該メッセージが、スクランブリング情報の変化または該スクランブリング情報の変化とは無関係の理由のいずれによって、該最初の試みの後にうまく読み取られなかったのかを確認することとに関する命令を保有する。該プロセッサは該メモリに結合され、該メモリに保有されている該命令を実行するように構成されている。
【０００９】
さらなる態様は、メッセージの検証を容易にする無線通信装置に関する。該装置は、メッセージが最初の試みの後にうまく読み取られなかったと判断する手段と、該メッセージを読み取り不能として保有する手段と、スクランブリング情報を取得する手段とを含む。該装置はまた、該取得されたスクランブリング情報によって該メッセージの再読み取りを試みる手段と、該メッセージが、スクランブリング情報の変化または該スクランブリング情報の変化とは異なる理由のいずれによって該最初の試みの後にうまく読み取られなかったのかを確認する手段とを含む。
【００１０】
さらに別の態様は、メッセージを検証する機械実行可能な命令を記憶する機会読み取り可能媒体に関する。該命令は、メッセージが最初の試みの後にうまく読み取られなかったと判断することと、該メッセージを読み取り不能として保有することと、スクランブリング情報を取得することとを含む。該命令はまた、該取得されたスクランブリング情報によって該メッセージの再読み取りを試みることと、該メッセージが、スクランブリング情報の変化または該スクランブリング情報の変化とは異なる理由のいずれによって、該最初の試みの後にうまく読み取られなかったのかを確認することとを含む。
【００１１】
さらなる態様は、メッセージを検証する少なくとも１つのプロセッサに関する。該プロセッサは、メッセージが最初の試みの後にうまく読み取られなかったと判断するように動作可能な第１のモジュールと、該メッセージを読み取り不能として保有するように動作可能な第２のモジュールとを含む。該プロセッサはまた、スクランブリング情報を取得するように動作可能な第３のモジュールと、該取得されたスクランブリング情報によって該メッセージの再読み取りを試みるように動作可能な第４のモジュールとを含む。該プロセッサはさらに、該メッセージが、スクランブリング情報の変化または該スクランブリング情報の変化とは無関係の理由のいずれによって、該最初の試みの後にうまく読み取られなかったのかを判断するように動作可能な第５のモジュールを含む。
【００１２】
上記および関連の目的を達成するために、該１つ以上の態様は、以下に完全に説明され、かつ請求項において具体的に指摘されている特徴を備える。以下の説明および添付の図面は、該１つ以上の態様の特定の例示的特徴を詳細に説明する。これらの特徴は、しかしながら、種々の態様の原理が用いられることが可能な種々の方法の一部を示すにすぎない。他の利点および新規の特徴は、図面を参照して検討される場合には以下の詳細な説明から明らかになり、開示されている態様はすべてのこのような態様およびこの類似物を含むものとする。
【図面の簡単な説明】
【００１３】
【図１】図１は、ここに示されている種々の態様にしたがった無線通信システムを示している。
【図２】図２は、１つ以上の態様にしたがった多重アクセス無線通信システムを示している。
【図３】図３は、関連する新着または保存済みメッセージによって保存済みまたは新着メッセージを検証するシステムを示している。
【図４】図４は、共にリンクされているメッセージの構造の一例を示している。
【図５】図５は、オーバーヘッドメッセージとクイック・ページング・チャネル（ＱＰＣＨ）間のリンクの例示的概略図を示している。
【図６】図６は、クイック・ページ・デコードのエラーを受信することと、メッセージを更新することと、同一ビットを正確に引き続きリデコードすることとに関する概略図を示している。
【図７】図７は、開示されている技術と併用可能なシステムもあるが、ＵＭＢシステムのタイムラインの詳細を示している。
【図８】図８は、開示されている態様のうちの１つ以上にしたがった、キャッシュ済みシステム情報を利用して実現された潜在的な時間節約の一例を示している。
【図９】図９は、保存済みおよび／または新着メッセージを検証する方法を示している。
【図１０】図１０は、関連する新着メッセージを利用して保存済みメッセージを検証する方法を示している。
【図１１】図１１は、新たな関連メッセージをデコードすることによってクイック・ページ・メッセージを検証する方法を示している。
【図１２】図１２は、開示されている態様のうちの１つ以上にしたがった、保存済みおよび／または新着メッセージの検証を容易にするシステムを示している。
【図１３】図１３は、例示的無線通信システムを示している。
【図１４】図１４は、保存済みおよび／または新着オーバーヘッドメッセージを検証する例示的システムを示している。
【発明を実施するための形態】
【００１４】
次に図面を参照して種々の態様について説明する。以下の説明において、説明する目的で、１つ以上の態様の完全な理解を提供するために多数の具体的な詳細が説明されている。しかしながら、このような（複数の）態様はこれらの具体的な詳細なしで実現可能であることも明らかである。他の例では、既知の構造およびデバイスが、これらの態様の説明を容易にするために、ブロック図形態で示されている。
【００１５】
本出願で使用されているように、用語「コンポーネント」、「モジュール」、「システム」などはコンピュータ関連エンティティと、ハードウェア、ファームウェア、ハードウェアおよびソフトウェアの組み合わせ、ソフトウェア、または実行中のソフトウェアのいずれかを指すものとする。例えば、コンポーネントは、プロセッサで実行中のプロセス、プロセッサ、オブジェクト、実行ファイル、実行スレッド、プログラムおよび／またはコンピュータであってもよいが、これらに制限されない。例証として、コンピューティングデバイスで実行されるアプリケーションと、コンピューティングデバイスの両方が１つのコンポーネントであってもよい。１つ以上のコンポーネントがプロセスおよび／または実行スレッド内に常駐可能であり、コンポーネントは、１つのコンピュータに局所化されているか、および／または２つ以上のコンピュータ間で分散されていてもよい。加えて、これらのコンポーネントは、種々のデータ構造を記憶している種々のコンピュータ読み取り可能媒体から実行可能である。コンポーネントは、例えば１つ以上のデータパケットを有する信号にしたがって、ローカルおよび／またはリモートプロセスで通信可能である（例えば、あるコンポーネントからのデータは、ローカルシステムにおいて、分散システムにおいて、および／またはインターネットなどの、信号による他のシステムとのネットワークで、別のコンポーネントと相互作用する）。
【００１６】
さらに、無線端末に関して種々の態様がここに説明されている。無線端末は、システム、加入者ユニット、加入者ステーション、モバイルステーション、モバイル、移動機、デバイス・リモート・ステーション、リモート端末、アクセス端末、ユーザ端末、端末、無線通信デバイス、ユーザエージェント、ユーザデバイスまたはユーザ機器（ＵＥ）と称されることも可能である。無線端末は携帯電話、コードレス電話、セッション初期化プロトコル（ＳＩＰ）電話、スマートフォン、無線ローカルループ（ＷＬＬ）ステーション、携帯情報端末（ＰＤＡ）、ラップトップ、ハンドヘルド通信デバイス、ハンドヘルド・コンピューティング・デバイス、衛星無線機および／または無線システムで通信する別の処理デバイスであってもよい。さらに、基地局に関して種々の態様がここに説明されている。基地局は（複数の）無線端末と通信するために利用可能であり、アクセスポイント、ノードＢまたは他の用語で称されてもよい。
【００１７】
多数のデバイス、コンポーネントおよびモジュールなどを含むことができるシステムに関して種々の態様や特徴が呈示される。これらの種々のシステムはさらなるデバイス、コンポーネント、モジュールなどを含んでもよく、かつ／または図面を参照して論じられているデバイス、コンポーネント、モジュールなどのすべてを含まなくてもよい点を理解および認識されたい。これらのアプローチの組み合わせもまた使用可能である。
【００１８】
次に図１を参照すると、ここに呈示されている種々の態様にしたがった無線通信システム１００が示されている。システム１００は、無線通信信号を相互に、および／または１つ以上の移動機１０４に対して受信、送信および反復などをする１つ以上のセクタにおいて１つ以上の基地局１０２を備えることができる。各基地局１０２は、複数の送信機チェーンおよび受信機チェーン（例えば、各送受信アンテナにつき１つ）を備えることができ、これらの各々は、信号の送信および受信と関連付けられた複数のコンポーネント（例えば、プロセッサ、変調器、マルチプレクサ、復調器、デマルチプレクサ、アンテナなど）を備えることができる。各移動機１０４は１つ以上の送信機チェーンおよび受信機チェーンを備えることができ、これらは多入力多出力（ＭＩＭＯ）システムに利用可能である。各送信機および受信機チェーンは、当業者によって理解されるように、信号の送信および受信と関連付けられた複数のコンポーネント（例えば、プロセッサ、変調器、マルチプレクサ、復調器、デマルチプレクサ、アンテナなど）を備えることができる。
【００１９】
基地局１０２はエアメッセージを介して移動機に初期情報を搬送可能である。これらをエアメッセージを介してリンクする無線通信システムでは、エアメッセージを介する別の移動機が、すでに読み取り不能になったために保存されているメッセージを検証および／または破棄するのを支援可能である。開示されている態様によると、移動機１０４はこのように保存済みメッセージを再使用可能であるため、バッテリの電力および寿命が延長可能である。付加的または代替的に、さらなるメッセージをデコードする必要性が排除可能であるため、時間の節約が可能である。開示されている態様にしたがって、メッセージを使用して他のメッセージを検証することに関するさらなる情報を以下提供する。
【００２０】
次に図２を参照すると、１つ以上の態様にしたがった多重アクセス無線通信システム２００が示されている。無線通信システム２００は、１つ以上のユーザデバイスと接触して１つ以上の基地局を含むことができる。各基地局は複数のセクタのカバレージを提供する。３セクタ基地局２０２は複数のアンテナグループを含んでおり、あるグループはアンテナ２０４および２０６を含み、別のグループはアンテナ２０８および２１０を含み、第３のグループはアンテナ２１２および２１４を含む。図面によると、各アンテナグループにつき２つのアンテナのみが示されているが、各アンテナグループにつき利用可能なアンテナはより多数または少数であってもよい。移動機２１６はアンテナ２１２および２１４と通信し、この場合アンテナ２１２および２１４は順方向リンク２２０で移動機２１６に情報を送信し、逆方向リンク２１８で移動機２１６から情報を受信する。順方向リンク（つまりダウンリンク）とは、基地局から移動機への通信リンクのことであり、逆方向リンク（つまりアップリンク）とは、移動機から基地局への通信リンクのことである。移動機２２２はアンテナ２０４および２０６と通信しており、この場合アンテナ２０４および２０６は順方向リンク２２６で移動機２２２に情報を送信し、逆方向リンク２２４で移動機２２２から情報を受信する。
【００２１】
各グループのアンテナ、および／またはアンテナが通信するように設計されているエリアは、基地局２０２のセクタと称されることもある。１つ以上の態様では、アンテナグループは各々、セクタ、または基地局２０２によってカバーされているエリアにおいて移動機に通信するように設計されている。基地局は、端末と通信するために使用される固定局であってもよい。
【００２２】
従来の無線通信システムでは、移動機は、メッセージを監視するアイドルモードでは長時間を費やす。移動機はページを監視可能であり、経時的に、メッセージが無効（例えば、読み取り不能）であると判断可能でもあるため、デバイスはすべてのメッセージを再度収集することになる。メッセージは固定スケジュールに従って送信可能である。現在のメッセージが期限切れまたは無効（例えば、読み取り不能）であることが考えられる場合、デバイスは通常待機して、メッセージ全体を再度ダウンロードすることになり、完全なメッセージをデコードするのには時間がかかり、これはリソースを消費する恐れがある。
【００２３】
ここに呈示されている、１つ以上の開示されている態様によって移動機は、さらに高速なレートで受信可能な関連メッセージをデコードすることによって保存済みメッセージを検証することで時間を節約できる。一部の態様によると、移動機は、新たな関連メッセージをデコードして引き続き保存済みメッセージやこのＣＲＣ（巡回冗長検査）を再度読み取ることによって（記憶媒体に保有されていた）既に読み取り不能になっているメッセージを検証することで時間を節約できる。開示されている態様のうちの１つ以上によって保存済みメッセージ（またはこのＣＲＣ）は、スクランブラや署名一致によって保存済みメッセージ（またはこのＣＲＣ）に影響を与えうるメッセージを迅速に更新することによって再度読み取られることが可能である。
【００２４】
図３は、関連する新着または保存済みメッセージによって保存済みまたは新着メッセージを検証するシステム３００を示している。無線通信システムでは、送信者がメッセージをエンコードし、このメッセージは受信者側でデコードまたは読み取られる。受信者がメッセージを読み取ることができない場合、メッセージのスクランブリング（例えば、エンコード）が変化したと示すことができる。メッセージのスクランブリングが変化した場合、受信者は、メッセージをきちんとデコードするために、新たなスクランブリング情報を受信する必要がある。しかしながら、デコードの失敗は、ネットワーク内の環境的フェージング効果や、他の通信不能の理由（例えば、ジャミング）などの別の理由による結果のこともある。スクランブリング情報の変化、およびデコード失敗の他の理由は雑音として現れる可能性もあるため、デコード失敗の原因を区別することは従来のシステムでは困難である。システム３００は、デコードの失敗が、スクランブリング情報の変化またはスクランブリング情報の変化とは異なる理由のいずれによる結果であるのかを判断するように構成可能である。さらに、システム３００は、より高速なレートでダウンロード可能な関連メッセージをデコードすることによって保存済みメッセージを検証することで時間の節約をもたらすことが可能である。
【００２５】
システム３００は、移動機３０４と通信しているアクセスポイント３０２を含む。多数のアクセスポイント３０２および移動機３０４がシステム３００に含まれ得るが、認識されるように、簡略化のために、単一の移動機３０４と通信している単一のアクセスポイント３０２が図示されている。
【００２６】
アクセスポイント３０２と移動機３０４間の通信は無線つまり電波であってもよい。アクセスポイント３０２と移動機３０４間のエアメッセージの一部は頻繁に送信可能である。このようなメッセージは移動機３０４に、迅速に変化しうるパラメータや設定を通知する。他のエアメッセージは、これらのメッセージに含まれている情報が比較的一定でありうるため、それほど頻繁には送信されない。これらの頻度の低いメッセージにおけるこのような情報は、ネットワーク（例えば、アクセスポイント３０２）の識別、ネットワークのタイプ、ネットワークへのアクセス方法、ネットワークでの移動機動作時に利用するパラメータ、ネットワークの特定のセクタに固有のパラメータに関する情報、ならびに他の情報を含むことができる。
【００２７】
受信済みメッセージにおける信頼性を移動機３０４に提供する手順は、メッセージの一部に関する情報を相互に埋め込むことである。この一例は、メッセージ「Ａ」が自身に関する情報をメッセージ「Ｂ」に埋め込み、メッセージ「Ｂ」が自身に関する情報をメッセージ「Ｃ」に埋め込む、というような階層スキームである。埋め込まれている情報は、両方のメッセージにおける署名の一致、他のメッセージの署名やハッシュを使用する各メッセージのＣＲＣのスクランブリングならびに他の技術を含む多数の方法で実行可能である。メッセージのリンクに関するさらなる詳細な情報は、図４および図５を参照して以下に提供される。
【００２８】
受信済みメッセージが署名情報の変化や他の理由（例えば、環境的フェージング効果、ジャミング、メッセージ全体が受信されなかった、など）のいずれの結果として読み出し不能であるのかを判断するために、移動機３０４は、基地局３０２のエンコーダ３０８によってエンコードされたと思われるエンコード済みメッセージをデコードまたは読み取るように構成可能なデコーダ３０６を含むことができる。エンコーダ３０８は適切な無線通信プロトコル（例えば、ＯＦＤＭ、ＯＦＤＭＡ、ＣＤＭＡ、ＴＤＭＡ、ＧＳＭ（登録商標）、ＨＳＤＰＡ、・・・）にしたがって信号を変調および／またはエンコード可能であり、この信号は次いで移動機３０４に送信可能である。エンコーダ３０８は、音声解析器を使用してアナログ波形をディジタル信号に変換する音声コーダ（ボコーダ）、または別のタイプのエンコーダであってもよい。
【００２９】
デコーダ３０６によってメッセージをうまく読み出すと、確認応答（ＡＣＫ）が生成可能である。ＡＣＫはメッセージの受信成功を示しており、また基地局３０４に送信可能であるため、基地局３０４は、メッセージが受信およびデコードまたは読み取られたことを知っているため、再送信は不要である。一部の態様によると、メッセージの受信がうまくいかない場合には否定応答（ＮＡＣＫ）が生成および送信可能である。ＮＡＣＫは、メッセージが移動機３０４によってうまく受信された（例えば、読み取られた）ことを基地局３０２に通知するために、基地局３０２に送信可能である。したがって、メッセージのさらなる通信が送信される場合、基地局３０２はメッセージまたはこの一部を再送信可能である。
【００３０】
メッセージが、デコーダ３０６によって判断されるように、うまくデコードされない（ＮＡＣＫをもたらす）場合、読み取り不能のメッセージ全体や、うまく読み取られなかったメッセージからのビットがキャッシュ３１０に保有可能である。キャッシュ３１０は、さらに詳細に後述されるように、任意のタイプの記憶媒体やメモリであってもよい。例示のためであり、制限するものではないが、クイック・ページ・メッセージがキャッシュ３１０に保存可能である。うまく読み取られなかったクイック・ページ・メッセージは有効であると想定可能であるが、スクランブルに利用されるメッセージや、クイック・ページ・メッセージ（またはこのＣＲＣ）との署名一致は無効であると想定される。
【００３１】
スクランブリング情報を取得するように構成可能なスクランブリング情報取得器３１２もまた移動機３０４に含まれている。スクランブリング情報は、アルゴリズム、ハッシュアルゴリズムなどの種々の技術や、（例えば、暗号作成キーを利用する）他の方法を利用して導出可能である。取得されたスクランブリング情報は、受信済みと思われる同一のスクランブリング情報であってもよく（また読み取り不能なメッセージを読み取るのに利用され）、あるいは異なるスクランブリング情報（例えば、変化したスクランブリング情報）であってもよい。
【００３２】
一部の態様によると、スクランブリング情報取得器３１２はクイックチャネル情報（ＱｕｉｃｋＣｈａｎｎｅｌＩｎｆｏ）（ＱＣＩ）メッセージを取得可能であり、この場合、保有されている読み取り不能なメッセージはクイックページ・メッセージであり、このクイック・ページ・メッセージは有効とみなされ、このクイック・ページ・メッセージをスクランブルするために使用される（例えば、オーバーヘッドメッセージなどの）メッセージは無効である。一部の態様によると、ＱＣＩメッセージは、後続のスーパーフレームの第１の部分で受信可能である。
【００３３】
デコーダ３０６は、新たに取得されたスクランブリング情報を利用してキャッシュ３１０に保有されている既に読み取り不能のメッセージやビットの再読み取りを試みることができる。一部の態様によると、スクランブリング情報はあるソースから取得され、保有されている読み取り不能なメッセージは異なるソースから取得される。
【００３４】
メッセージ認証器３１４は、既に読み取り不能となっているメッセージが、スクランブリング情報の変化またはスクランブリング情報の変化とは無関係の理由（例えば、環境的フェージング効果、ジャミングなど）のいずれによって（新たに取得されたスクランブリング情報の前に）うまく読み取られなかったのかを確認するように構成可能である。メッセージ認証器３１４は、キャッシュ３１０に保有されているメッセージが、取得済みスクランブリング情報（例えば、異なるスクランブリング情報）を利用してうまく読み取られることができれば、スクランブリング情報が変化したために読み取りの試みが失敗したと判断可能である。さらに、メッセージ認証器３１４は、メッセージの再読み取りの試みがオリジナルのスクランブリング情報（例えば、最初の読み取り試みに利用されたのと同じスクランブリング情報）によってうまくいけば、署名情報の変化以外の理由でメッセージがうまく読み取られなかったと確認することができる。
【００３５】
一部の態様によると、メッセージ認証器３１４は、ＱＣＩメッセージ情報を利用して保存済みクイックページＣＲＣをデスクランブルすることによって保存済みクイック・ページ・メッセージを検証するように構成可能である。しかしながら、開示されている態様は１つのメッセージタイプにも、メッセージ・ネーミング・コンベンションにも、１つのタイプの通信システムにも制限されないことが理解されるはずである。
【００３６】
保存済みの読み取り不能なメッセージを再読み取りする試みは、必要よりも多くのメッセージを取得して、これを読み取る試みを軽減しうるため、バッテリ寿命および他のリソースを節約可能である。さらに、読み取り不能のメッセージや、読み取り不能だったメッセージのビットがキャッシュ３１０に保存されている場合、メッセージ全体がアクセスポイント３０２（またはメッセージの他の送信者）から再度検索される必要がないため、リソースおよび時間が節約可能である。
【００３７】
システム３００は、移動機３０４に動作可能に結合されているメモリ３１６を含むことができる。メモリ３１６は移動機３０４の外部にあってもよく、あるいは移動機３０４内に常駐可能でもある。メモリ３１６は、パケットが少なくとも最初の試みの後にはうまく読み取られなかったと判断することと、読み取り不能なメッセージを保存することと、スクランブリング情報を受信することと、受信済みスクランブリング情報によってメッセージの再読み取りを試みることと、メッセージが、スクランブリング情報の変化または別の（複数の）理由のいずれによって最初の試みの後に読み取り不能であったのかを判断することとに関する情報を記憶可能である。プロセッサ３１８が、通信ネットワークにおける保存済みまたは新着メッセージの検証に関する情報の解析を容易にするように、移動機３０４（および／またはメモリ３１６）に動作的に接続可能である。プロセッサ３１８は、移動機３０４によって受信された情報の解析および／または生成専用のプロセッサ、システム３００の１つ以上のコンポーネントをコントロールするプロセッサ、および／または、移動機３０４によって受信された情報を解析かつ生成し、システム３００の１つ以上のコンポーネントをコントロールするプロセッサであってもよい。
【００３８】
システム３００が、ここに説明されているような無線ネットワークでの通信の改良を達成するために保存済みプロトコルおよび／またはアルゴリズムを使用できるように、メモリ３１６は、保存済みおよび／または新着メッセージの検証、移動機３０４とアクセスポイント３０２間の通信をコントロールするための動作、および他の機能と関連付けられたプロトコルを記憶可能である。一部の態様によると、メモリ３１６は、上述のように、キャッシュ３１０を含んでもよく、またはこれと関連付けられていてもよい。
【００３９】
ここに説明されているデータ記憶（例えば、メモリ）コンポーネントは揮発性メモリまたは不揮発性メモリのいずれかであってもよく、あるいは揮発性および不揮発性両方のメモリを含むことができる点が理解されるはずである。例示としてであり、制限するものではないが、不揮発性メモリは、リード・オンリー・メモリ（ＲＯＭ）、プログラマブルＲＯＭ（ＰＲＯＭ）、電気的にプログラム可能なＲＯＭ（ＥＰＲＯＭ）、電気的消去可能ＲＯＭ（ＥＥＰＲＯＭ）またはフラッシュメモリを含むことができる。揮発性メモリは、外部キャッシュメモリとして動作するランダム・アクセス・メモリ（ＲＡＭ）を含むことができる。例示としてであり、制限するものではないが、ＲＡＭは、同期ＲＡＭ（ＤＲＡＭ）、ダイナミックＲＡＭ（ＤＲＡＭ）、同期ＤＲＡＭ（ＳＤＲＡＭ）、ダブル・データ・レートＳＤＲＡＭ（ＤＤＲ  ＳＤＲＡＭ）、増強ＳＤＲＡＭ（ＥＳＤＲＡＭ）、同期リンクＤＲＡＭ（ＳＬＤＲＡＭ）およびダイレクトラムバスＲＡＭ（ＤＲＲＡＭ）などの多数の形態で使用可能である。開示されている態様のメモリ３１６は、これらおよび他の適切なタイプのメモリを備えることが意図されているが、これらに制限されない。
【００４０】
開示されている態様を完全に理解するために、図４は、共にリンクされているメッセージ４００の構造の一例を示している。ここに提供されている種々の例は、種々の態様について説明するために具体的な実現に関連しているが、開示されている態様は、ここに説明されている具体的な実現に制限されない点が理解されるはずである。加えて、これらのメッセージのリンクの例は、メッセージのタイプにも、ここに図示および説明されているようにメッセージがリンクされている様子にも制限されない。開示されている態様によると、メッセージのリンクは、１つのメッセージが、すでに受信されている他のメッセージの有効性を判断するために利用可能であることをもたらす。
【００４１】
図面は、システム情報（ＳｙｓｔｅｍＩｎｆｏ）メッセージ４０２、クイックチャネル情報（ＱｕｉｃｋＣｈａｎｎｅｌＩｎｆｏ）（ＱＣＩ）メッセージ４０４、拡張チャネル情報（ＥｘｔｅｎｄｅｄＣｈａｎｎｅｌＩｎｆｏ）（ＥＣＩ）メッセージ４０６およびセクタ・パラメータ・メッセージ４０８が、種々の署名、スクランブリング、ハッシュまたは他の手段によって共にリンク可能である様子を示している。開示されている態様を利用するメッセージは、他の機能を実行する異なるメッセージであっても、図示されているが、異なる用語で言及可能な類似の機能を実行するメッセージであってもよい点が理解されるはずである。
【００４２】
システム情報メッセージ４０２は、スーパーフレームプリアンブルまたは各スーパーフレームのフォワード・プライマリ・ブロードキャスト・チャネル（Ｆ−ＰＢＣＣＨ）で送信可能である。例えば、Ｆ−ＰＢＣＣＨは、スーパーフレームプリアンブルのＯＦＤＭシンボル番号「０」であってもよい。一部の態様によると、システム情報メッセージ４０２全体を送信するのに約１６個のスーパーフレームが必要となる可能性がある。メッセージの初めは、ＳＦＩｎｄｅｘ  ｍｏｄ１６＝０のスーパーフレームにあってもよい。システム情報メッセージ４０２は、割り当て番号であってもよいシステム情報署名フィールド４１０を有することができる。
【００４３】
クイックチャネル情報（ＱＣＩ）メッセージ４０４は、スーパーフレームプリアンブルのフォワード−セカンダリ・ブロードキャスト・チャネル（Ｆ−ＳＢＣＣＨ）の別のスーパーフレームで送信可能である。例えば、Ｆ−ＳＢＣＣＨは、スーパーフレームプリアンブルのＯＦＤＭシンボル番号１〜４であってもよい。同期モードでは、ＱＣＩメッセージ４０４は、偶数値のパイロット位相のスーパーフレームで送信可能である。非同期モードでは、ＱＣＩメッセージ４０４は、偶数値のスーパーフレームインデックスのスーパーフレームで送信可能である。ＱＣＩメッセージ４０４のＣＲＣは、システム情報署名４１０によってスクランブル可能である。ＱＣＩメッセージ４０４は、アンテナ４１２の有効番号、ＳＳＣＨ番号ホップポート４１４ならびに他の情報を含むことができる。
【００４４】
ＥＣＩメッセージ４０６は、ブロードキャストＭａｃＩＤを有するフォワード・トラヒック・チャネルＭＡＣのＰＨＹフレームで送信可能である。一部の態様によると、ＥＣＩメッセージ４０６は、約８個のスーパーフレームごとに再送信可能である。ＥＣＩメッセージ４０６に含まれているフィールドは、セクタパラメータ署名と、割り当て値であってもよいＥＣＩ署名フィールド４１６とを含むことができる。セクタ情報グループ４１８、アクセスパラメータグループ４２０、電力コントロールグループ４２２ならびに他の情報もまた含まれている。
【００４５】
セクタ・パラメータ・メッセージ４０８は、ブロードキャストＭａｃＩＤを有するフォワード・トラヒック・チャネルＭＡＣのＰＨＹフレームで送信可能である。セクタ・パラメータ・メッセージ４０８は、およそ６４個のスーパーフレームごとに送信可能である。割り当て値を有することができるセクタパラメータ署名フィールドがセクタ・パラメータ・メッセージ４０８に含まれている。ＥＣＩメッセージ４０６およびセクタ・パラメータ・メッセージ４０８のセクタパラメータ署名フィールドは共通であってもよい。セクタ・パラメータ・メッセージ４０８は隣接リスト４２４および他の情報を含むことができる。
【００４６】
図５は、オーバーヘッドメッセージとクイック・ページング・チャネル（ＱＰＣＨ）間のリンクや接続の例示的概略図５００を示している。図示および説明されているメッセージは例示としてであり、態様はこれらのチャネルに制限されないことが理解されるはずである。図示されているように、セクタパラメータ（ＳｅｃＰａｒａｍ）メッセージは署名５０２を含むことができる。署名は、メッセージの内容を特定する識別子である。例えば、署名は一意の番号であってもよい。署名は、公式、アルゴリズム、ハッシュアルゴリズム、または、メッセージに対応する識別子を導出する他の技術によって導出可能である。
【００４７】
セクタパラメータ署名５０２は、矢印５０４で示されているように、拡張チャネル情報（ＥＣＩ）メッセージ（例えば、ＥＣＩブロック）のペイロード情報に含まれてもよい。ＥＣＩメッセージはまた署名５０６を含む。ＥＣＩメッセージがデコードされると、署名５０６はチェックされて、メモリまたはキャッシュに保存されているセクタ・パラメータ・メッセージの署名と一致する場合には、有効である。署名は一意性を保証するはずであるためこれは有効であると推定される。ＥＣＩメッセージおよび署名がキャッシュに保有されているのと異なる場合、キャッシュの情報は無効であり、別のメッセージが検索されるべきである。
【００４８】
ハッシュアルゴリズムがＥＣＩメッセージに適用可能であり、またＣＲＣがスクランブル可能であり、これはＱＰＣＨメッセージ５０８のスクランブリングである。ＣＲＣはまたクイックチャネル情報（ＱｕｉｃｋＣｈａｎｎｅｌＩｎｆｏ）（ＱＣＩ）５１０でスクランブル可能である。システム情報（ＳｙｓｔｅｍＩｎｆｏ）（Ｓｙｓｉｎｆｏ）メッセージ（およびこの署名５１２）とＱＣＩ５１０は、セクタパラメータ５０２とＥＣＩ５０６の関係と類似の関係を有する。ＱＣＩはフィールドを含むことができ、このフィールドはシステム情報５１２の署名を含むことができる。ＱＰＣＨ  ＣＲＣ５０８は、ＥＣＩ署名５０６と、ＱＣＩ５１０のハッシュによってスクランブルされる。
【００４９】
ＱＰＣＨメッセージがデバイスで受信されるのとほぼ同時に、デコードされ、ＣＲＣが検証されて、正しく読み取られたか否かを判断する。ＥＣＩ５０６および／またはＱＣＩ５１０が変化した場合ＣＲＣは不可能である。しかしながら、すべてのビットが正確にデコードされた可能性があり、唯一のエラーは、ＣＲＣが、スクランブルされたために、不正確なＣＲＣであるということだった。
【００５０】
例えば、デバイスはＱＣＩメッセージを検索し、ＱＣＩメッセージが変化したことを認識する。デバイスは次いでＱＰＣＨ  ＣＲＣ５０８を検証する。検証は、ＥＣＩメッセージが正確であり、かつこのセクタ・パラメータ・メッセージが正確であることを示すことができる。ＱＣＩメッセージが検索され、かつシステム情報メッセージによって何も変化しなかった場合、システム情報メッセージは正確であると示す。したがって１つのメッセージをチェックするだけで、移動機は、ＣＲＣをデスクランブルしてＱＰＣＨメッセージをデコードすることができ、チェーン全体を検証することができる。このことは時間短縮をもたらすが、それは、これらのメッセージは無線での送受信に長時間を要する点でＥＣＩメッセージは高価であり、またこれはそれほど頻繁には送信されない大きなメッセージであるからである。しかしながら、ＱＣＩメッセージはそれほど高価ではなく、さらに短く、また他の個数のスーパーフレームごとに（例えば、１５ｍｓｅｃごとに）送信可能である。したがって、スタンバイ時間の短縮は、ＣＱＩをチェックし、ＣＰＣＨを再検証し、また、変化する場合を除いて常にＥＣＩメッセージを保有することによって実現可能である。ＱＰＣＨをうまくデコードできることによって、セクタパラメータ情報も変化しなかったと推定可能である。
【００５１】
開示されている態様によると、メッセージを詳細にリンクすることは、１つのメッセージが最終的に利用されて、すでに収集されている他のメッセージの有効性を判断することができることをもたらす。ウルトラ・モバイル・ブロードバンド（ＵＭＢ）の場合、例えば、新たに受信されたＥＣＩに埋め込まれている署名が、既に収集されているセクタパラメータの署名と一致しない場合、セクタパラメータが変化しており、更新されるべきであると結論付けられることもある。同様に、ＱＣＩ  ＣＲＣがデスクランブル不可能な場合、システム情報署名が変化しており、かつシステム情報が更新されるべきであると結論付けることができる。
【００５２】
一方、ＱＰＣＨエラーは多数の可能性を示すことができる。可能性の１つは、受信された信号強度が、ＱＰＣＨが移動機で受信された時点では悪かったかもしれず、メッセージを適切にデコードするのに十分な受信ビットがなかったことである。もう１つの可能性は、ＥＣＩメッセージが変化したため、ＱＰＣＨ  ＣＲＣをスクランブルするのに利用されるＥＣＩ署名は不正確であるということである。もう１つの可能性は、ＱＣＩメッセージが変化したため、ＱＰＣＨ  ＣＲＣをスクランブルするのに利用されるＱＣＩのハッシュは不正確であるということである。この最後の可能性は、移動機のスタンバイ時間を延ばすために情報が利用可能である様子を説明するために以下利用される。さらなる可能性では、（ＵＭＢ移動機などの）移動機が、キャッシュ済みシステム情報メッセージの検証としてＱＣＩ  ＣＲＣをうまくデスクランブルする能力を利用可能であり、これについては図８を参照して後述する。
【００５３】
次に図６を参照して、ジェネリック・クイック・ページ（ＱＰ）リデコード６００が示されている。ＱＰが誤ってデコードされる一般的な場合、利用されているシステムのタイプに応じて、移動機に使用可能な多様なオプションがある。オプションの１つは第２のＱＰビットをデコードすることであってもよい。利用可能なもう１つのオプションは、ＱＰ情報を完全に無視して、ファーストページ（ＦＰ）を直接デコードして新着ページをチェックすることである。さらなるオプションは、生のＱＰデータビットを記憶してから、変化してＱＰエラーをもたらしたオーバーヘッドメッセージを更新することである。移動機のスタンバイ時間に対するインパクト全体が好ましい場合、スタンバイ時間を延ばすことができる。
【００５４】
図６は、ＱＰデコードのエラーを受信し、オーバーヘッドメッセージを更新して、引き続き同じビットを正確にリデコードする概略図６００を示している。概略図６００はジェネリックＱＰリデコードのものである。ＱＰデータのデコードが６０２で図示されている。生データは、デコードやＣＲＣの失敗時に、メモリ（またはキャッシュ）などの記憶媒体に記憶可能である。６０４において、さらなるオーバーヘッドメッセージがデコード可能である。これらのメッセージは６０６で利用可能であり、この場合、記憶されていたＱＰデータはリデコードされ、あるいはこのＣＲＣは、６０４で得られた新情報によってチェックされる。６０８において、ＱＰリデコードが可能ではなく、ページを示し、あるいは再度失敗した場合にＦＰはデコード可能である。
【００５５】
図７は、ＵＭＢシステムのタイムライン７００の詳細を示しているが、他のシステムも開示されている技術と併用可能である。図示されているように、ＱＰＣおよびＱＣＩメッセージは代替スーパーフレーム７０２および７０４で送信される。これらのスーパーフレーム７０２および７０４は、一部の態様によると、各々、およそ２０ｍｓｅｃの長さであってもよい。ＱＰＣおよびＱＣＩの両方とも、スーパーフレームのプリアンブル部分で送信可能であり、これは、スーパーフレームのおよそ第１のｍｓｅｃを要すると思われる。プリアンブルはまた、移動機のタイミングを更新し、かつアクセスポイントからデータを受信するのに利用されるべきセクタを判断するために移動機が利用する情報を含むことができる。したがって、移動機は、対象のスーパーフレームのプリアンブルを処理可能である。例示的ＵＭＢシステムにおいて、ＦＰは、ＱＰＣＨを有するスーパーフレームに続いてすぐ、スーパーフレームで生じうる。したがって、ＱＣＩメッセージの更新は、移動機のスタンバイ時間のさらなる損失を招くことはない。
【００５６】
図示されているように、７０４において、スーパーフレームプリアンブルのＱＰデータがデコードされる。ＣＲＣチェックが失敗すると、このデータは保存可能である。７０９において、ＱＣＩメッセージが次のスーパーフレームプリアンブルでデコードされる。メッセージはここでデコード可能であるが、それは、移動機が既にこのスーパーフレームプリアンブルに気付いているからである。７１０において、ＱＰＣＨ  ＣＲＣが、新たなＱＣＩのハッシュに基づいて再チェック可能である。移動機は、「ページなし」が判断される場合、ＦＰをデコードする必要はない。ＦＰは、必要な場合、７１２でデコード可能である。ＱＣＩを更新し、引き続きＱＰＣＨ  ＣＲＣを検証できることによって、ＱＰＣＨ結果が「ページなし」を示す場合、移動機は、ＦＰを受信するために電源投入される必要はない。このことは、移動機の電力節約と、スタンバイ時間の延長をもたらすことができる。
【００５７】
図８は、開示されている態様のうちの１つ以上にしたがった、キャッシュ済みシステム情報を利用する時間節約８００の一例を示している。アクセス端末が最初にセクタを発見してアクセスノードを取得すると、システム情報メッセージは、検索されていた最初のメッセージとなりうる。システム情報メッセージは、スーパーフレーム０、１、２〜１５として示されている約１６個のスーパーフレームで部分的に送信可能である。ＱＣＩメッセージは各スーパーフレームで全体を送信可能である。少数のＱＣＩメッセージは８０２および８０４でラベリングされる。本例では、各スーパーフレームは約２０ｍｓｅｃかかることがあり、これは矢印８０６で示されている。一例では、メッセージ全体が受信されるのにおよそ３２０ｍｓｅｃかかることがある。先行のアクセスノード接続からキャッシュ済みシステム情報メッセージを利用することによって、アクセス端末はＱＣＩのデコードを直接試みることができ、また保存済みシステム情報の署名を利用してＱＣＩ  ＣＲＣをデスクランブルすることができる。ＣＲＣがパスするとキャッシュに保存されているシステム情報メッセージが検証され、再収集される必要はない。ＱＣＩは任意のスーパーフレームにおいて完全にデコード可能であるため、アクセス端末は、約３００ｍｓｅｃ早くアイドル状態になることができ、また本例では、バッテリ電力のさらに１５個のスーパーフレームウェイクアップを節約可能である。したがって、８０８に示されている約３００ｍｓｅｃはキャッシュ済みシステム情報を使用して節約可能である。しかしながら、この時間節約８００は、開示されている態様の利点の一部を示すための例示であり、種々のシステムが事実上の節約を実現可能である点が理解されるはずである。
【００５８】
既に図示および説明されている例示的システムに関して、開示されている主題にしたがって実現可能な方法は、以下のフローチャートを参照してさらに理解される。説明の簡略化のために、これらの方法は、一連のブロックとして図示および説明されているが、一部のブロックは、ここに図示および説明されているのとは異なる順序で、および／または別のブロックとほぼ同時に生じることもあるため、請求されている主題はブロックの数や順序によって制限されない点が理解および認識される。さらに、後述される方法を実現するためのすべてのブロックが図示される必要はない。ブロックと関連した機能性はソフトウェア、ハードウェア、これらの組み合わせまたは他の適切な手段（例えば、デバイス、システム、プロセス、コンポーネント）によって実現可能である点が認識される。加えて、以下本明細書を通して開示されている方法は、種々のデバイスへのこのような方法の移送および転送を容易にするための製品に記憶可能である点がさらに認識されるはずである。当業者は、例えば状態図において一連の相関状態やイベントとして方法が代替的に表されてもよい点を理解および認識する。
【００５９】
図９は、保存済みおよび／または新着メッセージを検証する方法９００を示している。方法９００は、メッセージが、スクランブリング情報の変化または別の理由のいずれによってうまく読み取られなかったのかをさらに効率的に判断するために、無線通信環境で利用可能であるが、それは、パケットがうまく読み取られないことがあるためにこれらの問題は類似していると思われるからである。
【００６０】
例えば、無線通信環境では、地理的エリアの周辺にあるデバイスや、稼働中の基地局によってサービス提供されるセルがある。周辺環境では、このような環境の性質ゆえに生じる多量のフェージングがありうる。受信済みメッセージが正確である（例えば、スクランブリング情報の変化がない）と判断するために常にメッセージの取得を必要とする代わりに、方法９００によってデバイスは、メッセージをより迅速にバックアップおよび再検証することができ、これによって厳しいフェージング環境でスタンバイ時間を節約可能である。
【００６１】
方法９００は９０２で開始し、この場合、メッセージが不明の理由（例えば、スクランブリング情報の変化、ジャミング、環境的フェージング効果など）によってうまく読み取られない。読み取り不能なメッセージは９０４で、キャッシュやメモリなどの記憶媒体に保有可能である。読み取り不能メッセージの保存は、後にメッセージ全体を検索するのに必要な時間およびリソース量を軽減することができる。９０６において、スクランブリング情報が取得される。このスクランブリング情報はそれほど頻繁に受信されなくてもよく、あるいは、他のタイプの情報よりもダウンロードするのに時間がかかることもある。このスクランブリング情報は、メッセージの再読み取りを試みる９０８において、保有されている読み取り不能メッセージのうちの１つ以上に適用される。
【００６２】
９１０において、新たに取得されたスクランブリング情報（例えば、異なるスクランブリング情報）によって読み取り不能メッセージを再度読み取る試みが成功したか否かを判断する。デコードの試みが、新たに取得されたスクランブリング情報によって成功した場合（「はい」）、９１２において、スクランブリング情報がまだデコードされていないパケットについて変更されたことが示される。デコードの試みが成功しなかった場合（「いいえ」）、９１４において、スクランブリング情報が読み取りの試みの失敗をもたらした要因ではないと示される（例えば、古いスクランブリング情報および最近取得されたスクランブリング情報の両方ともパケットをデコードできなかった）。この状況で、読み取りの試みの不成功は、環境的フェージング効果や他の通信問題によってもたらされたと思われる。オリジナルのスクランブリング情報（例えば、最初の読み取りの試みに利用された情報）によってメッセージを再度読み取る別の試みが実行可能である。オリジナルの署名情報（例えば、最初の試みの時にメッセージを読み取るのに利用された署名情報）によってメッセージを再度読み取る試みが成功すると、署名情報の変化以外の理由による失敗が示される。
【００６３】
図１０は、関連する新着メッセージによって保存済みメッセージを検証する方法１０００を示している。移動機が無線通信ネットワークをリッスンする場合、メッセージの一部は、ダウンロードするのに比較的長い時間がかかることがある。メッセージが、署名、ハッシュまたは他の方法でリンクされる場合、保存済みメッセージは、より速いレートで受信可能な後続のメッセージをデコードすることによって検証可能である。したがって、方法１０００は、より大きなメッセージをダウンロードするのにかかる時間を短縮可能であり、このことは、通話受信など、スタンバイ時間の延長および性能メトリクスの向上をもたらすことができる。
【００６４】
例示のためであり、また制限するものではないが、ＵＭＢシステムにおいて、ＱＣＩメッセージは最大約４０ｍｓｅｃ内で収集可能であり、保存済みシステム情報メッセージによって正確にデコードすれば、新たなシステム情報メッセージを収集するためにおよそ３２０ｍｓｅｃの時間を節約可能である。
【００６５】
方法１０００は１００２で開始し、この場合、メッセージの署名が保存されている。一部の態様によると、所与のシステムに適用可能な事柄に応じて、署名以外のものが保存されている。後続のメッセージが１００４で受信される。この後続のメッセージは他のメッセージよりもかなり高速で受信されることもある。１００６において、保存済みメッセージの署名が、受信済みメッセージをデコードするために利用される。１００８において、デコードが成功したか否かが判断される。デコードが成功すると（「はい」）、１０１２において、デコードは保存済みメッセージを検証する。デコードが失敗した場合（「いいえ」）、１０１４において、保存済みメッセージは検証不可能であり、より新しいメッセージの取得が必要とされることもある。
【００６６】
図１１は、新たな関連オーバーヘッドメッセージをデコードすることによってクイック・ページ・メッセージを検証する方法１１００を示している。図面を参照して開示されている方法およびメッセージは理解を目的としており、非制限的である点が理解されるはずである。方法は１１０２で開始し、この場合クイック・ページ・メッセージが保存される。この保存されたクイック・ページ・メッセージは有効であると想定されるが、スクランブルするのに使用されたオーバーヘッドメッセージ、またはクイックページ（またはこのＣＲＣ）との署名一致は無効であると想定される。このオーバーヘッドは、１１０４において（ＵＭＢシステムで）次のスーパーフレームを受信し、かつＱＣＩメッセージをデコードすることによって利用される追加リソース量を軽減する一方で、更新可能である。クイックページＣＲＣは、この新情報によって、１１０６においてデスクランブル可能である。移動機が、ＱＣＩが生じるスーパーフレームのこの部分をリッスンするため（全ページが同一のスーパーフレームで後に生じる）、移動機へのさらなるコストを削減することができる。したがって、方法１１００によって保存済みのクイックページが再チェック可能になり、全ページメッセージの後のデコードを潜在的に短縮することができる。
【００６７】
次に図１２を参照すると、開示されている態様のうちの１つ以上に従った、保存済みおよび／または新着メッセージの検証を容易にするシステム１２００が示されている。システム１２００はユーザデバイスに常駐可能である。システム１２００は、例えば受信アンテナから信号を受信可能な受信機１２０２を備えている。受信機１２０２は、受信信号をフィルタリング、増幅、ダウンコンバートするなどの通常の動作を実行可能である。受信機１２０２はまた、サンプルを取得するために調整済み信号をディジタル化可能である。復調器１２０４はシンボル周期ごとに受信シンボルを取得し、受信シンボルをプロセッサ１２０６に提供可能である。
【００６８】
プロセッサ１２０６は、受信コンポーネント１２０２によって受信された情報の解析および／または送信機１２０８によって送信する情報の生成専用のプロセッサであってもよい。付加的または代替的に、プロセッサ１２０６は、ユーザデバイス１２００の１つ以上のコンポーネントをコントロールし、受信機１２０２によって受信された情報を解析し、送信機１２０８によって送信する情報を生成し、および／またはユーザデバイス１２００の１つ以上のコンポーネントをコントロールすることができる。プロセッサ１２０６は、さらなるユーザデバイスとの通信を調整可能なコントローラコンポーネントを含んでもよい。
【００６９】
ユーザデバイス１２００は、プロセッサ１２０６に動作可能に結合され、かつ、通信の調整に関連する情報や他の適切な情報を記憶可能なメモリ１２０８をさらに備えることができる。メモリ１２１０は、サンプルの並べ替えと関連したプロトコルをさらに記憶することができる。ここに説明されているデータ記憶（例えば、メモリ）コンポーネントは揮発性メモリまたは不揮発性メモリのいずれであってもよく、あるいは揮発性および不揮発性メモリの両方を含むことができることが認識される。例証的かつ非制限的に、不揮発性メモリは、リード・オンリー・メモリ（ＲＯＭ）、プログラマブルＲＯＭ（ＰＲＯＭ）、電気的プログラム可能ＲＯＭ（ＥＰＲＯＭ）、電気的消去可能ＲＯＭ（ＥＥＰＲＯＭ）またはフラッシュメモリを含むことができる。揮発性メモリは、外部キャッシュメモリとして作用するランダム・アクセス・メモリ（ＲＡＭ）を含むことができる。例示としてであり、これに制限するものではないが、ＲＡＭは、同期ＲＡＭ（ＳＲＡＭ）、ダイナミックＲＡＭ（ＤＲＡＭ）、同期ＤＲＡＭ（ＳＤＲＡＭ）、ダブル・データ・レートＳＤＲＡＭ（ＤＤＲ  ＳＤＲＡＭ）、増強ＳＤＲＡＭ（ＥＳＤＲＡＭ）、同期リンクＤＲＡＭ（ＳＬＤＲＡＭ）およびダイレクトラムバスＲＡＭ（ＤＲＲＡＭ）などの多数の形態で使用可能である。本件のシステムおよび／方法のメモリ１２０８は、これらおよび他の適切なタイプのメモリを備えることが意図されているが、これらに制限されない。ユーザデバイス１２００はさらに、シンボル変調器１２１２と、変調信号を送信する送信機１２０８とを備えることができる。
【００７０】
受信機１２０２はさらに、新たなスクランブリング情報を取得するように構成可能な取得器１２１４に動作可能に結合されている。一部の態様によると、スクランブリング情報は１つのソースから取得可能であり、この場合保有されている読み取り不能メッセージは異なるソースから取得される。復調器１２０４が受信済みメッセージをうまく復調（例えば、読み取り）できない場合、メッセージ、つまりうまく読み取られなかったビットがメモリ１２１０に保有可能である。新たなスクランブリング情報を取得するのとほぼ同時に、復調器１２０４は、保存済みメッセージおよび／またはビットの再読み取りを試みることができる。認証器１２１６は、取得されたスクランブリング情報による再読み取りの試みに基づいて、パケットが、スクランブリング情報の変化またはスクランブリング情報の変化とは無関係の理由（例えば、ジャミング、環境的フェージング効果）のいずれによって復調不可能であったのかを判断するように構成可能である。
【００７１】
図１３は、例示的無線通信システム１３００を示している。無線通信システム１３００は、簡潔にするために、１つの基地局および１つの端末を示している。しかしながら、システム１３００は２つ以上の基地局やアクセスポイントおよび／または２つ以上の端末やユーザデバイスを含むことができ、この場合さらなる基地局および／または端末は、後述される例示的基地局および端末と実質的に類似していても異なっていてもよい点が認識される。加えて、基地局および／または端末は、この間の無線通信を容易にするために後述のシステムおよび／または方法を用いることができる点が認識される。
【００７２】
次に図１３を参照すると、ダウンリンクで、アクセスポイント１３０５において、送信（ＴＸ）データプロセッサ１３１０が、トラヒックデータを受信、フォーマット、コード化、インタリーブおよび変調（またはシンボルマッピング）して、変調シンボル（「データシンボル」）を提供する。シンボル変調器１３１５はデータシンボルおよびパイロットシンボルを受信および処理して、シンボルストリームを提供する。シンボル変調器１３１５はデータシンボルおよびパイロットシンボルを多重化して、１セットＮ個の送信シンボルを取得する。各送信シンボルは、データシンボル、パイロットシンボル、または信号値ゼロであってもよい。パイロットシンボルは各シンボル周期で継続的に送信可能である。パイロットシンボルは周波数分割多重化（ＦＤＭ）、直交周波数分割多重化（ＯＦＤＭ）、時間分割多重化（ＴＤＭ）、周波数分割多重化（ＦＤＭ）または符号分割多重化（ＣＤＭ）されることが可能である。
【００７３】
送信ユニット（ＴＭＴＲ）１３２０は、シンボルストリームを受信し、１つ以上のアナログ信号に変換し、このアナログ信号をさらに調整（例えば、増幅、フィルタリングおよび周波数アップコンバート）して、無線チャネルでの送信に適したダウンリンク信号を生成する。ダウンリンク信号は次いでアンテナ１３２５を介して端末に送信される。端末１３３０において、アンテナ１３３５はダウンリンク信号を受信し、受信信号を受信ユニット（ＲＣＶＲ）１３４０に提供する。受信ユニット１３４０は受信信号を調整（例えば、フィルタリング、増幅、および周波数ダウンコンバート）して、調整済み信号をディジタル化してサンプルを取得する。シンボル復調器１３４５はＮ個の受信シンボルを取得し、受信済みパイロットシンボルをプロセッサ１３５０に提供してチャネル推定する。シンボル復調器１３４５はさらに、ダウンリンクの周波数応答推定をプロセッサ１３５０から受信し、データ復調を受信済みデータシンボルに実行して（送信済みデータシンボルの推定である）データシンボル推定を取得し、このデータシンボル推定をＲＸデータプロセッサ１３５５に提供し、ＲＸデータプロセッサ１３５５は、データシンボル推定を復調（つまり、シンボルデマッピング）、デインタリーブおよびデコードして、送信済みトラヒックデータを回復する。シンボル復調器１３４５およびＲＸデータプロセッサ１３５５による処理は、アクセスポイント１３０５において、それぞれシンボル変調器１３１５およびＴＸデータプロセッサ１３１０による処理と相補的である。
【００７４】
アップリンクで、ＴＸデータプロセッサ１３６０はトラヒックデータを処理して、データシンボルを提供する。シンボル変調器１３６５はデータシンボルを受信して、パイロットシンボルによって多重化し、変調を実行し、シンボルストリームを提供する。送信ユニット１３７０は次いでこのシンボルストリームを受信および処理して、アップリンク信号を生成し、このアップリンク信号はアンテナ１３３５によってアクセスポイント１３０５に送信される。
【００７５】
アクセスポイント１３０５において、端末１３３０からのアップリンク信号はアンテナ１３２５によって受信され、受信ユニット１３７５によって処理されて、サンプルを取得する。シンボル復調器１３８０は次いでサンプルを処理して、受信済みパイロットシンボルおよびデータシンボル推定をアップリンクに提供する。ＲＸデータプロセッサ１３８５はデータシンボル推定を処理して、端末１３３０によって送信されたトラヒックデータを回復する。プロセッサ１３９０は、アップリンクで送信するアクティブ端末ごとにチャネル推定を実行する。
【００７６】
プロセッサ１３９０および１３５０はそれぞれ、アクセスポイント１３０５および端末１３３０での動作を指示（例えば、コントロール、調整、管理）する。それぞれのプロセッサ１３９０および１３５０は、プログラムコードおよびデータを記憶するメモリユニット（図示せず）と関連付けられることが可能である。プロセッサ１３９０および１３５０はまた、それぞれアップリンクおよびダウンリンクの周波数およびインパルスの応答推定を導出する計算を実行可能である。
【００７７】
多重アクセスシステム（例えば、ＦＤＭＡ、ＯＦＤＭＡ、ＣＤＭＡ、ＴＤＭＡなど）について、複数の端末がアップリンクで同時に送信可能である。このようなシステムについて、パイロットサブバンドは異なる端末間で共有可能である。チャネル推定技術は、各端末のパイロットサブバンドが動作バンド全体（場合によってはバンドエッジを除く）に及ぶ場合に使用可能である。このようなパイロットサブバンド構造は、端末ごとに周波数ダイバーシティを取得するのに望ましい。ここに説明されている技術は種々の手段によって実現可能である。例えば。これらの技術は、ハードウェア、ソフトウェアまたはこれらの組み合わせで実現可能である。ハードウェア実現について、チャネル推定に使用される処理ユニットは、１つ以上の特定用途向け集積回路（ＡＳＩＣ）、ディジタル信号プロセッサ（ＤＳＰ）、ディジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロコントローラ、マイクロプロセッサ、ここに説明されている機能を実行するように設計されている他の電子ユニット、またはこれらの組み合わせで実現可能である。ソフトウェアによると、ここに説明されている機能を実行するモジュール（例えば、手順、関数など）によって実現可能である。ソフトウェアコードはメモリユニットに記憶され、プロセッサ１３９０および１３５０によって実行可能である。
【００７８】
図１４を参照すると、保存済みおよび／または新着メッセージを検証する例示的システム１４００が示されている。システム１４００は、移動機内に少なくとも部分的に常駐可能である。システム１４００は機能ブロックを含むものとして表されており、この機能ブロックは、プロセッサ、ソフトウェアまたはこれらの組み合わせ（例えば、ファームウェア）によって実現される機能を表す機能ブロックであってもよい点が認識される。
【００７９】
システム１４００は、別個または関連して動作可能な電気コンポーネントの論理グルーピング１４０２を含む。論理グルーピング１４０２は、メッセージが最初の読み取りの後にうまく読み取られなかったと判断する電気コンポーネント１４０４を含むことができる。さらに、論理グルーピング１４０２は、読み取り不能メッセージを保有する電気コンポーネント１４０６を備えることができる。例えば、読み取り不能メッセージはシステムメモリに保有可能である。さらに、論理グルーピング１４０２は、スクランブリング情報を取得する電気コンポーネント１４０８を含むことができる。一部の態様によると、スクランブリング情報は第１のソースから取得可能であり、この場合保有されている読み取り不能メッセージは第２のソースから取得される。
【００８０】
メッセージが最初の試みの後にうまく読み取られなかったことを判断する電気コンポーネント１２０４は、最近取得されたスクランブリング情報によって保存済みメッセージの再読み取りを試みることができる。メッセージが最初の試みでうまく読み取られなかった理由を確認する電気コンポーネント１４１０が論理グルーピング１４０２に含まれることが可能である。メッセージは、スクランブリング情報の変化またはスクランブリング情報の変化とは無関係の理由によって読み取られなかった可能性がある。一部の態様によると、メッセージを再度読み取る第２の試みが成功すれば、メッセージは、スクランブリング情報の変化ゆえに、最初の試みの後にうまく読み取られなかったことが確認できる。他の態様によると、オリジナル署名情報（例えば、最初の読み取りの試みに使用された署名情報）による再読み取りの試みが成功すれば、メッセージは、署名情報チェック以外の理由で最初の読み取りの試みの後にうまく読み取られなかったことが確認できる。一部の態様によると、読み取り不能であったメッセージは、再読み取りの試みが成功した場合に検証される。
【００８１】
加えて、システム１４００は、電気コンポーネント１４０４、１４０６、１４０８および１４１０や他のコンポーネントと関連付けられた機能を実行するための命令を保有するメモリ１４１２を含むことができる。メモリ１４１２の外部に示されているが、電気コンポーネント１４０４、１４０６、１４０８および１４１０のうちの１つ以上がメモリ１４１２内に存在しうる点が理解される。
【００８２】
ここに開示されている態様は、ハードウェア、ソフトウェア、ファームウェア、ミドルウェア、マイクロコードまたはこれらの組み合わせによって実現可能である点が理解される。システムおよび／または方法は、ソフトウェア、ファームウェア、ミドルウェアまたはマイクロコード、プログラムコードまたはコードセグメントで実現される場合、記憶コンポーネントなどの機械読み取り可能媒体に記憶可能である。コードセグメントは、手順、関数、サブプログラム、プログラム、ルーチン、サブルーチン、モジュール、ソフトウェアパッケージ、クラス、あるいは、命令、データ構造またはプログラムステートメントの組み合わせを表すことができる。コードセグメントは、情報、データ、引数、パラメータまたはメモリコンテンツを引渡しおよび／または受信することによって別のコードセグメントやハードウェア回路に結合可能である。情報、引数、パラメータ、データなどは、メモリ共有、メッセージ引渡し、トークン引渡し、ネットワーク送信などを含む適切な手段を使用して引渡し、転送または送信可能である。
【００８３】
ここに開示されている態様と関連して説明されている種々の例示的論理回路、論理ブロック、モジュールおよび回路は、汎用プロセッサ、ディジタル信号プロセッサ（ＤＳＰ）、特定用途向け集積回路（ＡＳＩＣ）、フィールド・プログラマブル・ゲート・アレイ（ＦＰＧＡ）または他のプログラマブル論理デバイス、離散ゲートまたはトランジスタ論理回路、離散ハードウェアコンポーネント、あるいは、ここに説明されている機能を実行するように設計されているこれらの組み合わせによって実現または実行可能である。汎用プロセッサはマイクロプロセッサであってもよいが、代替例では、プロセッサは従来のプロセッサ、コントローラ、マイクロコントローラ、またはステートマシンであってもよい。プロセッサはまた、コンピューティングデバイスの組み合わせ、例えばＤＳＰおよびマイクロプロセッサの組み合わせ、複数のマイクロプロセッサ、ＤＳＰコアと関連した１つ以上のマイクロプロセッサ、あるいは他のこのような構成として実現可能である。加えて、少なくとも１つのプロセッサが、上記のステップおよび／または動作のうちの１つ以上を実行するように動作可能な１つ以上のモジュールを備えてもよい。
【００８４】
ソフトウェア実現について、ここに説明されている技術は、ここに説明されている機能を実行するモジュール（例えば、手順、関数など）によって実現可能である。ソフトウェアコードはメモリユニットに記憶されて、プロセッサによって実行可能である。メモリユニットは、プロセッサの内部でもプロセッサの外部でも実現可能であり、この場合、当分野で既知のように、メモリユニットは種々の手段によってプロセッサに通信可能に結合される。さらに、少なくとも１つのプロセッサが、ここに説明されている機能を実行するように動作可能な１つ以上のモジュールを含んでもよい。
【００８５】
さらに、ここに説明されている種々の態様や特徴は、標準プログラミングおよび／またはエンジニアリング技術を使用する方法、装置または製品として実現可能である。ここで使用されているような用語「製品」は、コンピュータ読み取り可能デバイス、キャリアまたは媒体からアクセス可能なコンピュータプログラムを包含することが意図されている。例えば、コンピュータ読み取り可能媒体は、磁気記憶デバイス（例えば、ハードディスク、フロッピー（登録商標）ディスク、磁気ストライプなど）、光ディスク（例えば、コンパクトディスク（ＣＤ）、ディジタル多用途ディスク（ＤＶＤ）など）、スマートカード、およびフラッシュメモリデバイス（例えば、ＥＰＲＯＭ、カード、スティック、キードライブなど）を含むことができるが、これらに限定されない。加えて、ここに説明されている種々の記憶媒体は、情報を記憶するための１つ以上のデバイスおよび／または他の機械読み取り可能媒体を表すことができる。用語「機械読み取り可能媒体」は、無線チャネルと、（複数の）命令および／またはデータを記憶、含有および／または搬送可能な種々の媒体とを含むことができるが、これらに制限されない。さらに、コンピュータプログラム製品は、ここに説明されている機能をコンピュータに実行させるように動作可能な１つ以上の命令やコードを有するコンピュータ読み取り可能媒体を含んでもよい。
【００８６】
さらに、ここに開示されている態様と関連して説明されている方法やアルゴリズムのステップおよび／または動作は、ハードウェアで直接に、プロセッサによって実行されるソフトウェアモジュールで、あるいはこれら２つの組み合わせで具現化可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当分野で既知の他の形態の記憶媒体に常駐可能である。例示的記憶媒体は、プロセッサが記憶媒体から情報を読み出し、および記録媒体に対して情報を書き込むことが可能になるように、プロセッサに結合されてもよい。代替例では、記憶媒体はプロセッサに一体化されてもよい。さらに、一部の態様では、プロセッサおよび記憶媒体はＡＳＩＣに常駐可能である。加えて、ＡＳＩＣはユーザ端末に常駐可能である。代替例では、プロセッサおよび記憶媒体は、離散コンポーネントとしてユーザ端末に常駐可能である。さらに、一部の態様では、方法またはアルゴリズムのステップおよび／または動作は、コンピュータプログラム製品に内蔵可能な機械読み取り可能媒体および／またはコンピュータ読み取り可能媒体のコードおよび／または命令セットのうちの１つまたはこの組み合わせとして常駐可能である。
【００８７】
ここに説明されている技術は、ＣＤＭＡ、ＴＤＭＡ、ＦＤＭＡ、ＯＦＤＭＡ、ＳＣ−ＦＤＭＡおよび他のシステムなどの種々の無線通信システムに使用可能である。用語「システム」および「ネットワーク」はしばしば互換的に使用される。ＣＤＭＡシステムは、ユニバーサル地上無線アクセス（ＵＴＲＡ）、ＣＤＭＡ２０００などの無線技術を実現可能である。ＵＴＲＡは、ワイドバンドＣＤＭＡ（Ｗ−ＣＤＭＡ）およびＣＤＭＡの他の変形例を含む。さらに、ＣＤＭＡ２０００はＩＳ−２０００、ＩＳ−９５およびＩＳ−８５６基準をカバーする。ＴＤＭＡシステムは、モバイル通信用グローバルシステム（ＧＳＭ（登録商標））などの無線技術を実現可能である。ＯＦＤＭＡシステムは、エボルブドＵＴＲＡ（Ｅ−ＵＴＲＡ）、ウルトラ・モバイル・ブロードバンド（ＵＭＢ）、ＩＥＥE８０２．１１（Ｗｉ−Ｆｉ）、ＩＥＥＥ８０２．１６（ＷｉＭＡＸ）、ＩＥＥＥ８０２．２０、フラッシュＯＦＤＭなどの無線技術を実現可能である。ＵＴＲＡおよびＥ−ＵＴＲＡはユニバーサル移動体通信システム（ＵＭＴＳ）の一部である。３ＧＰＰロング・ターム・エボリューション（ＬＥＴ）は、Ｅ−ＵＴＲＡを使用するＵＭＴＳのリリースであり、これは、ＯＦＤＭＡをダウンリンクに、ＳＣ−ＦＤＭＡをアップリンクに用いる。ＵＴＲＡ、Ｅ−ＵＴＲＡ、ＵＭＴＳ、ＬＴＥおよびＧＳＭは「第３世代パートナーシッププロジェクト」（３ＧＰＰ）と称される機関の文書に説明されている。加えて、ＣＤＭＡ２０００およびＵＭＢは、「第３世代パートナーシッププロジェクト２」（３ＧＰＰ２）と称される機関の文書に説明されている。また、このような無線通信システムは、不対の無免許スペクトル、８０２．ｘｘ無線ＬＡＮ、ＢＬＵＥＴＯＯＴＨ(登録商標)、および短距離または長距離無線通信技術をしばしば使用するピアツーピア（例えば、モバイルツーモバイル）アドホック・ネットワーク・システムをさらに含むことができる。
【００８８】
上記開示は例示的態様について論じているが、種々の変更および修正が、添付の請求項に定義されているように、説明されている態様の範囲から逸脱することなくなされてもよいことが理解されるはずである。したがって、説明されている態様は、添付の請求項の範囲内のこのような変更、修正および変形例のすべてを包含することが意図されている。さらに、説明されている態様の要素が単数形で説明および請求されているが、単数に制限する旨が明記されない限り複数形も想定されている。加えて、任意の態様の全部または一部が、特に言及のない限り、他の態様の全部または一部と併用可能である。
【００８９】
用語「含む」が詳細な説明または請求項のいずれかで使用される限り、このような用語は、用語「備える」が、請求項の遷移語として用いられる場合に「備える」と解釈されるのと同様に、含んでいることを意図している。さらに、詳細な説明または請求項のいずれかで使用されている用語「または」は、「包括的なまたは」を意味している。
【図１】
2011525061.tif 000003
【図２】
2011525061.tif 000004
【図３】
2011525061.tif 000005
【図４】
2011525061.tif 000006
【図５】
2011525061.tif 000007
【図６】
2011525061.tif 000008
【図７】
2011525061.tif 000009
【図８】
2011525061.tif 000010
【図９】
2011525061.tif 000011
【図１０】
2011525061.tif 000012
【図１１】
2011525061.tif 000013
【図１２】
2011525061.tif 000014
【図１３】
2011525061.tif 000015
【図１４】
2011525061.tif 000016
【国際調査報告】
2011525061.tif 000017
2011525061.tif 000018